(57)【特許請求の範囲】
【請求項１】
記録媒体を載置するトレイと当該トレイを装置内部の位置と装置の前面に形成される開口部から突出する位置の間を搬送する搬送手段を備える記録再生装置において、前記トレイが前記開口部から突出したときに前記開口部を塞ぐ蓋部を備え、
前記トレイは、前記記録再生装置から突出する部分に搬送方向に延出するリブを備え、
前記蓋部は、前記記録再生装置の筐体に軸支されるとともに付勢手段で付勢されて前記トレイのリブに接触し、前記トレイを前記開口部から突出させたときに前記リブの端部から外れて前記開口部を塞ぐことを特徴とする記録再生装置。
【請求項２】
請求項１記載の記録再生装置において、前記トレイの後端面にコ字状の切り欠き部を設け、当該切り欠き部に前記蓋部が遊貫して前記開口部を塞ぐことを特徴とする記録再生装置。
【請求項３】
請求項１記載の記録再生装置において、前記リブは、前記トレイに載置した記録媒体の上面を越える高さを有していることを特徴とする記録再生装置。
【発明の詳細な説明】
【０００１】
【発明の属する技術分野】
本発明は、記録媒体を搬送するトレイを備える記録再生装置に関する。
【０００２】
【従来の技術】
図３に従来の記録再生装置の斜視図を示す。
また、図４にトレイとトレイの開閉機構の上面図を示す。
図３、図４において、記録再生装置前面の操作パネル１から図示していない光ディスクを装置内及び装置外に搬送するトレイ２がある。そして、トレイ２の前面部にはローダパネル３があって、操作パネル１に設けた操作ボタン４の操作でトレイ２を装置内に収納すると、ローダパネル３は操作パネル１に緩嵌する。
【０００３】
トレイ２の裏面にはトレイ２を出し入れするためのラックギア２ｃが設けてある。そして、トレイ２を出し入れ自在に支持しているメカベース１１には、トレイ２のラックギア２ｃと歯合する送りギア８ｂが取り付けてある。また、メカベース１１には、送りギア８ｂに駆動力を伝達する送りギア８ａと、送りギア８ａに連結するベルト９と、モータ１０があって、モータ１０の駆動力が連結するベルト９に伝達され、ラックギア２ｃに伝達されるようになっている。
【０００４】
上述した構成では、トレイ２を装置内に収納すると、ローダパネル３は操作パネル１に緩嵌するので、塵埃やたばこのタール等の侵入を防ぎ、光ピックアップ１２のレンズ１３に塵埃やたばこのタール等が付着するのを防止できる。しかしながら、操作パネル１に設けた操作ボタン４を操作して、トレイ２を装置内から装置外に移動させ停止位置で停止させると、操作パネル１とトレイ２との間に大きな開口部が形成されるので、この開口部から塵埃やたばこのタール等が侵入してしまう問題があった。
【０００５】
特に、業務用に使用する記録再生装置等で、例えば２台の記録再生装置が交互に用いられる場合、一方の記録再生装置に次に記録または再生される記録媒体を載置し、トレイ２を突出させたままで待機させている使用状態があり、その待機状態が長時間続くことがある。
このような使用状況下では、光ピックアップ１２のレンズ１３に塵埃やたばこのタール等が付着しやすくなり、塵埃やたばこのタール等の付着によって光ディスクに情報の記録をすることや、光ディスクに記録された記録情報の読み取りを行うことができなくなってしまう問題があった。レンズ１３に塵埃やたばこのタール等が付着すると、光ピックアップ１２の取り替え等、大変手間のかかる修理をしなくてはならなかった。
【０００６】
【発明が解決しようとする課題】
そのため本発明では、トレイを記録再生装置内から装置外に移動させ停止位置で停止させたときに、記録再生装置とトレイとの間に形成される開口部から記録再生装置内に塵埃やたばこのタール等の侵入を防止することができる記録再生装置を得ることを目的としている。
【０００７】
【課題を解決するための手段】
本発明の請求項１記載の記録再生装置は、記録媒体を載置するトレイと当該トレイを装置内部の位置と装置の前面に形成される開口部から突出する位置の間を搬送する搬送手段を備える記録再生装置において、前記トレイが前記開口部から突出したときに前記開口部を塞ぐ蓋部を備え、前記トレイは、前記記録再生装置から突出する部分に搬送方向に延出するリブを備え、前記蓋部は、前記記録再生装置の筐体に軸支されるとともに付勢手段で付勢されて前記トレイのリブに接触し、前記トレイを前記開口部から突出させたときに前記リブの端部から外れて前記開口部を塞ぐことを特徴としている。
【０００８】
したがって、トレイを記録再生装置からトレイを突出させ所定の位置で停止させても、記録再生装置内に塵埃やたばこのタール等の侵入を防止することができる。
【００１０】
また、蓋部が付勢されているので、トレイを記録再生装置からトレイを突出させ所定の位置で停止させたときに開口部を確実に塞ぐことができる。
【００１１】
また、本発明の請求項２記載の記録再生装置は、請求項１記載の記録再生装置において、前記トレイの後端面にコ字状の切り欠き部を設け、当該切り欠き部に前記蓋部が遊貫して前記開口部を塞ぐことを特徴としている。
【００１２】
したがって、蓋部のトレイとの隙間が少なくなって、開口部を確実に塞ぐことができる。
【００１５】
また、本発明の請求項３記載の記録再生装置は、請求項１記載の記録再生装置において、前記リブは、前記トレイに載置した記録媒体の上面を越える高さを有していることを特徴としている。
【００１６】
したがって、トレイに載置した記録媒体に蓋部材が接触して、トレイの搬送中にディスクをトレイから脱落させたり破損させることを防止することができる。
【図面の簡単な説明】
【図１】本発明の一実施例を示す記録再生装置のトレイと蓋部の断面構成図である。
【図２】（ａ）は本発明の一実施例を示す記録再生装置のトレイと蓋部の断面構成図、（ｂ）はその上面図である。
【図３】従来例の光ディスク記録再生装置の斜視図を示す。
【図４】従来例のトレイの開閉機構の上面図を示す。
【符号の説明】
１      操作パネル                    １ａ    軸受け部
１ｂ    軸受け部                      １ｃ    フック
１ｄ    フック                        １ｅ    開口部
２      トレイ                        ２ａ    リブ
２ｂ    リブ                          ２ｃ    ラックギア
３      ローダパネル                  ４      操作ボタン
５      遮蔽板                        ５ａ    軸
５ｂ    凸部                          ６      遮蔽板
６ａ    軸                            ６ｂ    凸部
７      バネ
８ａ    送りギア                      ８ｂ    送りギア
９      伝達部材                    １０      モータ
１１      メカベース                  １２      光ピックアップ
１３      レンズ                      １４      切り欠き部
１５      切り欠き部
【図１】
0003572181.tif 000002
【図２】
0003572181.tif 000003
【図３】
0003572181.tif 000004
【図４】
0003572181.tif 000005